【事件の表示】
　平成２年特許願第１５７３７７号「シール装置とシール方法と導電ガスケット」拒絶査定に対する審判事件〔平成３年２月６日出願公開、特開平３−２８５７８、請求項の数（１４）〕について、次のとおり審決する。
【結　論】
　原査定を取り消す。
　本願の発明は、特許すべきものとする。
【理　由】
１．手続の経緯・本願発明
　本願は、平成２年６月１５日（パリ条約による優先権主張１９８９年６月１６日、米国）の出願であって、その請求項１〜１４に係る発明は、平成１４年５月１６日付け手続補正によって補正された明細書及び図面の記載からみて、その特許請求の範囲の請求項１〜１４に記載された次のとおりのものである。
　
「【請求項１】
装置であって、該装置は、
互いに対向するように配置された導電面を有する第１及び第２の導電体と、
　導電性シール体であって、該導電性シール体は前記第１及び第２の導電体の少なくとも一方の上に設けられるとともに前記第１及び第２の導電体の間の所々に配置され、ニッケル、銅、鉄、及びマンガンの少なくとも２つを含む合金、アルミニウム、ニッケル、錫、銅、銀、金、銅合わせ鋼の少なくとも１つの材質製の高導電性金属通路を形成し、かつ前記第１及び第２の導電体の間の空隙を介する電磁放射及び空気の通過を遮断する該導電性シール体と、
　前記導電性シール体の外面に形成された皮膜であって、該皮膜は可撓性エラストマ結合材と前記可撓性エラストマ結合材中に分散された導電性粒子を含む該皮膜とより成り、
前記エラストマ結合材は、硬化可能エラストマ、シリコーン、ネオプレン、及びナイロンの少なくとも１つを含み、前記導電性粒子はカーボンブラック、黒鉛及び元素状金属（ｅｌｅｍｅｎｔａｌ　ｍｅｔａｌ）より成る群より選択され、前記導電性粒子の寸法は２５乃至７５ミクロンであり、前記導電性粒子の含有量は前記皮膜の２５乃至４０重量％であり、前記導電性粒子の前記寸法及び含有量の前記皮膜の表面固有抵抗は０．５乃至１．０Ω／□であり、
　これにより、前記導電性シール体の前記金属通路と前記皮膜の前記導電性粒子を含む導電性通路が前記第１及び第２の導電体間を架橋し、かつ前記皮膜の前記エラストマ結合材が前記導電体の前記導電面の腐食を減少することを特徴とする装置。
　【請求項２】
前記導電性粒子の分散系は導電性粒子のコロイド分散系であり、前記エラストマ結合材はエラストマペイントであることを特徴とする請求項１に記載の装置。
　【請求項３】
前記コロイド分散系が炭素粒子を含むことを特徴とする請求項２に記載の装置。
　【請求項４】
装置であって、該装置は、
互いに対向するように配置された面を有する第１及び第２の導電体と、
　前記第１及び第２の導電体の少なくとも一方の上に設けられかつ電磁放射及び空気の少なくとも１つの通過を遮断するように前記第１及び第２の導電体の間の所々に配置された導電性シールと、
　前記導電性シール上の皮膜であって、可撓性エラストマ結合材と前記可撓性エラストマ結合材内に分散された導電性粒子を含む導電性皮膜を形成する該皮膜とより成り、
前記導電体は、ニッケル皮膜、クロメート転換皮膜及び導電性有機皮膜の少なくとも１つによって被覆されたアルミニウムを含み、前記導電性粒子の寸法は２５乃至７５ミクロンであり、前記導電性粒子の含有量は前記導電性皮膜の２５乃至４０重量％であることを特徴とする装置。
　【請求項５】
前記導電性皮膜が、ウレタン、アクリル樹脂、ゴム及びポリ塩化ビニルを主成分とするペイントからなる群より選択されるペイントを含むことを特徴とする請求項４に記載の装置。
　【請求項６】
腐食を減少させつつ導電体を電磁放射及び空気の通過に対してシールする方法であって、該方法は、
　前記導電体の間の所々に導電性シールを配置する過程と、
　導電性粒子の分散系を有する導電性皮膜で前記導電性シールを被覆する過程からなり、
前記導電性皮膜は、少なくとも前記導電体の一つに対して設けられる前記導電性シールの或る領域に形成され、前記導電性粒子の分散系は、０．５乃至１．０Ω／□の表面固有抵抗を有する皮膜が得られるようにカーボンブラックとエラストマ結合材を混合することによって得られ、前記導電性粒子の寸法は２５乃至７５ミクロンであり、前記導電性粒子の含有量は前記導電性皮膜の２５乃至４０重量％であることを特徴とするシール方法。
　【請求項７】
前記エラストマ結合材がウレタンを含むことを特徴とする請求項６に記載の方法。
　【請求項８】
導電体間における電磁放射及び空気の通過を遮断するためのガスケットであって、該ガスケットは、
　可撓性で導電性の外装により外側を包囲され、該外装に結合され、かつ該外装の内部に充填された連続モールド弾性フォームコアと、
　前記弾性フォームコアが前記外装を前記導電体の一つに対して押圧するように、少なくとも前記導電体の一つに前記ガスケットを取り付けるための手段と、
　前記導電体の一つに対向する前記外装の外面上に形成された保護皮膜とより成り、
前記保護皮膜はエラストマ結合材と前記エラストマ結合材内に充填された導電性粒子のコロイド分散系を含み、前記導電性粒子は寸法が２５乃至７５ミクロンであり、前記導電性粒子は前記皮膜の２５乃至４０重量％の含有量にて前記エラストマ結合材内に充填されてなることを特徴とするガスケット。
　【請求項９】
前記導電性皮膜が、ウレタン結合材内でのカーボンブラックのコロイド分散系であることを特徴とする請求項８に記載のガスケット。
　【請求項１０】
少なくとも２個の導電体と、前記導電体間を通過する電磁放射及び空気を遮断する弾性導電ガスケットとを有し、前記ガスケット及び前記導電体は共に電解質に暴露されると異種金属接触腐食を生ずる異種金属であるような改良装置であって、該改良装置は、
　少なくとも前記導電体の一つに対向する前記ガスケットの外面上に形成された保護皮膜を有し、前記保護皮膜はエラストマ結合材と前記エラストマ結合材内の導電性粒子のコロイド分散系を含み、前記導電性粒子の寸法は２５乃至７５ミクロンであり、前記導電性粒子の含有量は前記保護皮膜の２５乃至４０重量％であり、前記導電性粒子の前記寸法及び含有量の前記保護皮膜の表面固有抵抗は０．５乃至１．０Ω／□であり、
　これにより、前記異種金属接触腐食を減少しつつ前記保護皮膜が前記ガスケットと前記導電体の間に電気接続架橋を形成することを特徴とする改良装置。
　【請求項１１】
前記導電性粒子が、カーボンブラック、黒鉛及び元素状金属からなる群から選択されることを特徴とする請求項１０に記載の装置。
　【請求項１２】
少なくとも２個の導電体と、前記導電体間での電磁放射及び空気の通過を遮断する弾性導電ガスケットとを有し、前記ガスケット及び前記導電体は共に電解質に暴露されると異種金属接触腐食を生ずるような異種金属であるような改良装置であって、該改良装置は、
　少なくとも前記導電体の一つに対向する前記ガスケットの面上に形成された保護皮膜を有し、前記保護皮膜は、エラストマ結合材と前記エラストマ結合材中に充填された導電性粒子のコロイド分散系を含み、前記導電性粒子はその寸法が２５乃至７５ミクロンであり、前記導電性粒子は前記保護皮膜の２５乃至４０重量％の含有量にて前記エラストマ結合材内に充填されてなることを特徴とする改良装置。
　【請求項１３】
前記導電性粒子の前記寸法及び含有量の前記保護皮膜の表面固有抵抗は０．５乃至１．０Ω／□であることを特徴とする請求項８に記載のガスケット。
　【請求項１４】
前記外装は、ニッケル、銅、鉄及びマンガンの少なくとも２つを含む合金、アルミニウム、ニッケル、錫、銅、銀、金、銅合わせ鋼の少なくとも１つの材質製である高導電性金属通路を形成し、前記エラストマ結合材は、硬化可能エラストマ、シリコーン、ネオプレン、及びナイロンの少なくとも１つを含み、前記導電性粒子は、カーボンブラック、黒鉛及び元素状金属から成る群から選択されることを特徴とする請求項８に記載のガスケット。」
　
２．原査定の理由の概要
　これに対し、原査定の拒絶の理由の概要は、各請求項に記載された事項、各請求項に係る発明の課題、作用効果、及びこれら相互の関連が不明確であるから、本願に係る明細書及び図面の記載が特許法第３６条第３項、第４項及び第５項に規定する要件を満たしていない、というものである。
　
３．当審の判断
　上記の点について検討するに、本願に係る明細書及び図面は、平成１４年５月１６日付けで補正されており、特許請求の範囲の記載も上記のように補正されたことにより、各請求項に記載された事項等の不明確さについては解消したものと解される。
　なお、前置報告書において、請求項１及び４の記載は「皮膜」の構成が依然として不明確である旨が指摘されているが、請求項１の記載中、「とより成り」の主語が文頭の「装置」であることは、その文脈上読み取ることができ、請求項１に係る発明が、「第１及び第２の導電体」と、「導電性シール体」と、「皮膜」とより成る装置に係るものであることが理解できるから、請求項１における「皮膜」の構成が不明確ということにはならない。また、請求項４の記載についても同様である。
　したがって、本願の明細書及び図面の記載に不備があるとまではいえず、特許法第３６条第３項、第４項及び第５項の規定を満足していないとするには当たらない。
　
４．むすび
　以上のとおり、「明細書及び図面の記載は特許法第３６条第３項、第４項及び第５項の規定を満足していない」という理由で本願を拒絶すべきものとした原査定は妥当ではない。
　また、他に本願を拒絶すべき理由を発見しない。
　よって、結論のとおり審決する。